(57)【要約】【課題】大型の展示用パネルの搬送、設置及び保管を容易にするという目的を、簡単な構造で、使い勝手の悪さを生じさせずに実現する。【解決手段】隣り合う一対の屏風状パネル１２，１２からなり、屏風状パネル１２，１２は直列に連結された２以上の個パネル１４Ａ，１４Ｂ，１４Ｃ，１４Ｄからなり、屏風状パネル１２，１２のいずれか一方の端部側の個パネル１４Ａ，１４Ａは一対の屏風状パネル１２，１２間で折り畳み可能に連結され、一対の屏風状パネル１２，１２の隣り合う側の縁部であって、一対の屏風状パネル１２，１２の残りの個パネル１４Ｂ，１４Ｃ，１４Ｄの縁部の近傍には面ファスナー２４Ａ，２４Ｂが各々取り付けられていて、残りの個パネル１４Ｂ，１４Ｃ，１４Ｄは一対の屏風状パネル１２，１２間で着脱可能、折り畳み可能になっている。【選択図】図１
2010085509.tif 000002
【特許請求の範囲】
【請求項１】
隣り合う一対の屏風状パネルからなり、該屏風状パネルは直列に連結された２以上の個パネルからなり、該屏風状パネルを形成している２以上の個パネルは隣り合う屏風状パネル間で平行に並んでおり、該屏風状パネルのいずれか一方の端部側の個パネルは該一対の屏風状パネル間で折り畳み可能に連結され、該屏風状パネルを形成している２以上の個パネルは折り畳み可能に連結され、該屏風状パネルを形成している２以上の個パネルのうちで、該一対の屏風状パネル間で連結されている個パネル以外の個パネルの該一対の屏風状パネル間で対向する縁部には、該一対の屏風状パネル間で隣り合う個パネルを相互に連結する連結具が各々取り付けられていることを特徴とする展示用パネル。
【請求項２】
前記屏風状パネルのいずれか一方の端部側の個パネルは該一対の屏風状パネル間で一方の面側に折り畳み可能に連結され、該屏風状パネルを形成している２以上の個パネルのうちで、該一対の屏風状パネル間で連結されている個パネルから数えて奇数番目の個パネルとこの奇数番目の個パネルに続く偶数番目の個パネルは他方の面側に折り畳み可能に連結され、該屏風状パネルを形成している２以上の個パネルのうちで、該一対の屏風状パネル間で連結されている個パネルから数えて偶数番目の個パネルとこの偶数番目の個パネルに続く奇数番目の個パネルは一方の面側に折り畳み可能に連結されていることを特徴とする請求項１に記載の展示用パネル。
【請求項３】
前記連結具が面ファスナーであることを特徴とする請求項１又は２に記載の展示用パネル。
【請求項４】
前記個パネルが粘着テープにより連結されていることを特徴とする請求項１〜３のいずれかに記載の展示用パネル。
【請求項５】
前記個パネルの面又は前記個パネルの集合によって形成された面に図形、文字又は記号が表示されていることを特徴とする請求項１〜４のいずれかに記載の展示用パネル。
【発明の詳細な説明】
【技術分野】
【０００１】
本発明は、イベント会場などにおいて大きな図形や文字を表示させるのに使用される大型の展示用パネルに関するものである。
【背景技術】
【０００２】
一般に展示用パネルは枠体と板状体とからなり、板状体には図形、文字又は記号が直接表示されているか、図形、文字又は記号が表示されたシートが貼り付けられている。展示用パネルが大型の場合、展示用パネルは枠体と板状体に分解され、嵩が小さくなった状態で保管されている。この展示用パネルを使用する場合は、分解された状態の展示用パネルを展示する場所に搬送し、そこで組み立てて使用している。この展示用パネルを撤去する場合は、展示用パネルを枠体と板状体に分解して嵩を小さくし、この状態で自動車に載せて搬送し、倉庫等に保管している。
【特許文献１】特開２００７−３７７５４号公報
【発明の開示】
【発明が解決しようとする課題】
【０００３】
解決しようとする問題点は、大型の展示用パネルが、嵩張っていて、小さな自動車では搬送できず、また設置場所への搬入、設置及び搬出が面倒であり、しかも保管する場合は場所をとる点である。
【課題を解決するための手段】
【０００４】
本発明は、大型の展示用パネルの搬送、設置及び保管を容易にするため、大型の展示用パネルを個パネルで形成し、この個パネルを折り畳み可能としたことを最も主要な特徴とする。
【発明の効果】
【０００５】
本発明は、折り畳まれている展示用パネルを展開し、個パネルの縁を面ファスナーで連結するだけで大型の展示用パネルを形成することができるので、大型の展示用パネルを設置場所に容易に設置することができるという効果がある。
【０００６】
また、本発明は、大型の展示用パネルを折り畳んで小さくすることができるので、大型の展示用パネルを設置場所に容易に搬入でき、また設置場所から容易に搬出することができるという効果がある。
【０００７】
また、本発明は、大型の展示用パネルを折り畳んで小さくすることができるので、大型の展示用パネルを狭い車内に積載することができ、従って、小さな自動車で搬送することができるという効果がある。
【０００８】
また、本発明は、大型の展示用パネルを折り畳んで小さくすることができるので、保管する場合に保管場所をとらず、狭い場所に保管することができるという効果がある。
【発明を実施するための最良の形態】
【０００９】
大型の展示用パネルの搬送、設置及び保管を容易にするという目的を、簡単な構造で、使い勝手の悪さを生じさせることなく実現した。
【実施例１】
【００１０】
図１は本発明展示用パネルの一実施例の正面図、図２は本発明展示用パネルの一実施例の斜視図、図３は本発明展示用パネルの展開又は折り畳み途中の状態を示す説明図、図４は図３のＡ部の詳細を示す拡大説明図、図５は図３のＢ部の詳細を示す拡大説明図、図６は図３のＣ部の詳細を示す拡大図、図７は屏風状パネルの面ファスナーによる接合状態を示す断面図である。
【００１１】
図１、図２に示すように、展示用パネル１０は隣り合う一対の屏風状パネル１２，１２からなり、屏風状パネル１２，１２は直列に連結された４枚の個パネル１４A，１４Ｂ，１４Ｃ，１４Ｄからなる。屏風状パネル１２，１２を形成している４枚の個パネル１４A，１４Ｂ，１４Ｃ，１４Ｄはある程度の厚さを有し、隣り合う屏風状パネル１２，１２間で平行に並んでいる。
【００１２】
図１〜図３に示すように、屏風状パネル１２，１２のいずれか一方の端部側の個パネル１４Ａ，１４Ａは一対の屏風状パネル１２，１２間で縁部が粘着テープ１６，１８によって表裏から連結され、一対の屏風状パネル１２，１２間で一方の面側に折り畳み可能になっている。
【００１３】
すなわち、図４に示すように、粘着テープ１６，１８のうちで、折り畳まれて内側になる面側の粘着テープ１６は個パネル１４Ａ，１４Ａの貼付面と面一に貼付され、折り畳まれて外側になる面側の粘着テープ１８は個パネル１４Ａ，１４Ａの端面に被覆された状態で貼付されている。
【００１４】
また、屏風状パネル１２を形成している４枚の個パネル１４A，１４Ｂ，１４Ｃ，１４Ｄのうちで、一対の屏風状パネル１２，１２間で連結されている個パネル１４Ａ，１４Ａから数えて１番目の個パネル１４Ａと２番目の個パネル１４Ｂ、３番目の個パネル１４Ｃと４番目の個パネル１４Ｄは縁部が粘着テープ２０，２２によって表裏から各々連結され、他方の面側に折り畳み可能になっている。
【００１５】
すなわち、図５に示すように、粘着テープ２０，２２のうちで、折り畳まれて内側になる面側の粘着テープ２２は個パネル１４Ａ，１４Ｂの縁部の貼付面及び個パネル１４Ｃ，１４Ｄの縁部の貼付面に面一に貼付され、折り畳まれて外側になる面側の粘着テープ２０は個パネル１４A，１４Ｂの各端面及び個パネル１４Ｃ，１４Ｄの各端面に被覆された状態で貼付されている。
【００１６】
また、屏風状パネル１２を形成している４枚の個パネル１４A，１４Ｂ，１４Ｃ，１４Ｄのうちで、一対の屏風状パネル１２，１２間で連結されている個パネル１４Ａ，１４Ａから数えて２番目の個パネル１４Ｂと３番目の個パネル１４Ｃは縁部が粘着テープ２０，２２によって表裏から連結され、一方の面側に折り畳み可能になっている。
【００１７】
すなわち、図６に示すように、粘着テープ２０，２２のうちで、折り畳まれて内側になる面側の粘着テープ２０は個パネル１４Ｂ，１４Ｃの縁部の貼付面に面一に貼付され、折り畳まれて外側になる面側の粘着テープ２２は個パネル１４Ｂ，１４Ｃの端面に被覆された状態で貼付されている。
【００１８】
また、図１〜図３及び図７に示すように、屏風状パネル１２を形成している４枚の個パネル１４A，１４Ｂ，１４Ｃ，１４Ｄのうちで、一対の屏風状パネル１２，１２間で連結されている個パネル１４Ａ以外の個パネル１４Ｂ，１４Ｃ，１４Ｄの一対の屏風状パネル１２，１２間で対向する縁部には、一対の屏風状パネル１２，１２間で隣り合う個パネル１４Ｂ，１４Ｃ，１４Ｄを相互に連結する面ファスナー２４Ａ，２４Ｂが各々取り付けられ、個パネル１４Ｂ，１４Ｃ，１４Ｄは一対の屏風状パネル１２，１２間で着脱可能、折り畳み可能になっている。
【００１９】
なお、図示してないが、一対の屏風状パネル１２，１２によって形成されたパネル面には図形、文字又は記号が表示されている。
【００２０】
次に、本発明展示用パネルの使用方法について説明する。
【００２１】
この展示用パネル１０を展開して大きくする場合は、図８に示すように折り畳まれていた個パネル１４A，１４Ｂ，１４Ｃ，１４Ｄを図３に示す状態を経て、全体が平面になるように広げて一対の屏風状パネル１２，１２を形成させ、屏風状パネル１２，１２の縁部の面ファスナー２４Ａ，２４Ｂを相互に当接させる。面ファスナー２４Ａ，２４Ｂは当接によって連結され、一対の屏風状パネル１２，１２が連結されて大型の展示パネルが図１又は図２に示すように形成される。
【００２２】
ここで、一対の屏風状パネル１２，１２は個パネル１４A，１４Ａで一方の面側に折れ曲がるように接続されているので、一対の屏風状パネル１２，１２全体も一方の面側に若干折れ曲がる（上方から見てく字状になる）傾向があり、完全には面一にならない。このため、各屏風状パネル１２，１２は、各個パネル１４A，１４Ｂ，１４Ｃ，１４Ｄが屈曲可能になっているにもかかわらず、真っ直ぐに立ち、従って、展示用パネル１０も真っ直ぐに立つことができる。
【００２３】
この展示用パネル１０を畳む場合は、一対の屏風状パネル１２，１２間で面ファスナー２４Ａ，２４Ｂを外し、一対の屏風状パネル１２，１２の各個パネル１４A，１４Ｂ，１４Ｃ，１４Ｄを図３に示す状態を経て、つづら折れ状態にしながら畳み、図８に示すような状態とする。
【図面の簡単な説明】
【００２４】
【図１】本発明展示用パネルの一実施例の正面図である。
【図２】本発明展示用パネルの一実施例の斜視図である。
【図３】本発明展示用パネルの展開又は折り畳み途中の状態を示す説明図である。
【図４】図３のＡ部の詳細を示す拡大説明図である。
【図５】図３のＢ部の詳細を示す拡大説明図である。
【図６】図３のＣ部の詳細を示す拡大図である。
【図７】屏風状パネルの面ファスナーによる接合状態を示す断面図である。
【図８】本発明展示用パネルの折り畳み完了の状態を示す斜視図である。
【符号の説明】
【００２５】
１０  展示用パネル
１２  屏風状パネル
１４Ａ，１４Ｂ，１４Ｃ，１４Ｄ  個パネル
１６  粘着テープ
１８  粘着テープ
２０  粘着テープ
２２  粘着テープ
２４Ａ，２４Ｂ  面ファスナー
【図１】
2010085509.tif 000003
【図２】
2010085509.tif 000004
【図３】
2010085509.tif 000005
【図４】
2010085509.tif 000006
【図５】
2010085509.tif 000007
【図６】
2010085509.tif 000008
【図７】
2010085509.tif 000009
【図８】
2010085509.tif 000010